(57)【要約】【課題】光学式ピックアップより照射されるレーザー光によってディスクに信号の記録動作を行う光ディスク記録再生装置の記録制御方法を提供する。【解決手段】ディスクから得られるＡＴＩＰ信号に基づく規定密度による記録動作及び該ＡＴＩＰ信号に基づいて高密度による記録動作を行うことが出来る光ディスク記録再生装置において、使用済みディスクへの記録動作を開始する前に該ディスクに記録されている信号の記録密度を判別し、判別された記録密度が記録動作を行うために設定された密度と相違したとき、該ディスクに記録されている信号の消去動作を行う。【選択図】　　図１
2004133980.tif 000002
【特許請求の範囲】
【請求項１】
ディスクから得られるＡＴＩＰ信号に基づく規定密度による記録動作及び該ＡＴＩＰ信号に基づいて高密度による記録動作を行うことが出来る光ディスク記録再生装置において、使用済みディスクへの記録動作を開始する前に該ディスクに記録されている信号の記録密度を判別し、判別された記録密度が記録動作を行うために設定された密度と相違したとき、該ディスクに記録されている信号の消去動作を行うようにしたことを特徴とする光ディスク記録再生装置の記録制御方法。
【請求項２】
記録密度が相違したとき、ディスクの交換を行うか否かの判定を行うようにしたことを特徴とする請求項１に記載の記録制御方法。
【請求項３】
判定結果をホスト機器に設けられている表示装置に表示させるようにしたことを特徴とする請求項２に記載の記録制御方法。
【請求項４】
消去動作をレーザー素子のＤＣ発光にて行うようにしたことを特徴とする請求項１に記載の記録制御方法。
【請求項５】
消去動作を完了したとき記録動作のための制御動作を行うようにしたことを特徴とする請求項１に記載の記録制御方法。
【発明の詳細な説明】
【０００１】
【発明の属する技術分野】
本発明は、光学式ピックアップから照射されるレーザー光によってディスクに信号を記録するように構成された光ディスク記録再生装置の記録制御方法に関する。
【０００２】
【従来の技術】
光学式ピックアップを用いてディスクに記録されている信号の読み出し動作を行うディスクプレーヤーが普及しているが、最近では、再生機能に加えて光学式ピックアップより照射されるレーザー光によってディスクに信号を記録することが出来るように構成された光ディスク記録再生装置が商品化されている。
【０００３】
光ディスク記録再生装置は、ホスト機器であるコンピューター装置から出力される命令信号に従って信号の記録動作や記録速度の変更動作等を行うように構成されている。
【０００４】
また、光ディスク記録再生装置としては、一度しか記録動作を行うことが出来ない追記型と呼ばれる装置と繰り返し記録動作を行うことが出来る書き換え型と呼ばれる装置とがある。
【０００５】
そして、信号を記録することが出来るディスクには、プリグルーブと呼ばれる溝が形成されており、このプリグルーブから得られるウォブル信号を復調することによって得られるＡＴＩＰと呼ばれる絶対時間情報を利用して信号の記録動作を行うように構成されている。一般の光ディスク記録再生装置は、ディスクから得られるＡＴＩＰ信号にて規定されている記録密度で信号の記録動作を行うように構成されているが、このＡＴＩＰ信号にて規定される記録密度ではなく、同一のディスクに高密度にて記録動作を行うことが出来る技術が開発されている（例えば特許文献１参照。）。
【０００６】
【特許文献１】
特開２００２−５６６１７号公報
【０００７】
【発明が解決しようとする課題】
書き換え型の光ディスク記録再生装置は、同一ディスクへの信号の記録動作を繰り返し行うことが出来るが、異なる記録密度による記録動作を行うことが出来る装置では、書き換え動作を行うためのレーザー出力のレベルを各記録密度に対応させて変更する必要がある。
【０００８】
斯かる装置において、使用済みディスク、即ち信号が記録されているディスクに記録動作を行う場合、同一密度による記録動作を行う場合には特性の良い記録動作を行うことが出来るが、異なる記録密度にて記録動作を行う場合には、記録特性が悪化するという問題がある。
【０００９】
本発明は、斯かる問題を解決することが出来る光ディスク記録再生装置の記録制御方法を提供しようとするものである。
【００１０】
【作用】
本発明は、ディスクから得られるＡＴＩＰ信号に基づく規定密度による記録動作及び該ＡＴＩＰ信号に基づいて高密度による記録動作を行うことが出来る光ディスク記録再生装置において、使用済みディスクへの記録動作を開始する前に該ディスクに記録されている信号の記録密度を判別し、判別された記録密度が記録動作を行うために設定された密度と相違したとき、該ディスクに記録されている信号の消去動作を行うように構成されている。
【００１１】
【実施例】
図１は本発明の記録制御方法を示すフローチャート、図２は本発明に係る光ディスク記録再生装置の一実施例を示すブロック回路図、図３は記録波形を示す波形図、図４は消去波形を示す波形図である。
【００１２】
図２において、Ｄはスピンドルモーター１によって回転駆動されるターンテーブル２にトレーを動作位置に移動させることによって載置されるディスクであり、該ターンテーブル２の回転により所望の回転速度にて回転駆動されるように構成されている。また。前記ディスクＤには、プリグルーブと呼ばれる溝が蛇行して形成されており、このプリグルーブより得られるウォブル信号に基づいて信号の記録再生動作が行われるように構成されている。
【００１３】
３はディスクＤにレーザー光を照射させるレーザー素子及び該レーザー素子より照射される光をモニターするモニター用ダイオードが組み込まれているとともにディスクＤの信号面より反射される光ビームを受ける光検出器が組み込まれている光学式ピックアップであり、ピックアップ送り用モーター（図示せず）の回転によってディスクＤの径方向に移動せしめられるように構成されている。
【００１４】
４は前記光学式ピックアップ３に組み込まれている光検出器から得られるＲＦ信号を増幅するとともに波形成形するＲＦ信号増幅回路、５は前記ＲＦ信号増幅回路４等を介して得られる信号に基づいて前記光学式ピックアップ３の光ビームをディスクＤの信号面に合焦させるフォーカシング制御動作及び該光ビームを前記信号面の信号トラックに追従させるトラッキング制御動作を行うピックアップ制御回路であり、フォーカスサーボ回路及びトラッキングサーボ回路が組み込まれている。斯かるフォーカシング制御動作及びトラッキング制御動作は、光学式ピックアップ３に組み込まれている対物レンズの位置を周知の機構によってディスクＤの信号面に対して垂直方向及びディスクＤの径方向に変位させることによって行われるように構成されている。
【００１５】
６は前記ＲＦ信号増幅回路４より出力される信号のデジタル信号処理を行うとともに各種信号の復調動作を行うデジタル信号処理回路、７は光ディスク記録再生装置にホスト機器として接続されて使用されるコンピューター装置であり、光ディスク記録再生装置の制御動作を行うとともにディスクＤに記録される信号の送信動作及びディスクＤより再生される信号の受信動作を行うように構成されている。８は光ディスク記録再生装置に組み込まれているとともに前記コンピューター装置７から出力される命令信号に応じて種々な制御動作を行うシステム制御回路である。
【００１６】
９は記録動作を行うためのレーザー出力を設定する場合に使用されるテスト信号や記録信号が入力されるとともにその信号に対応させてレーザー駆動回路１０によるレーザー素子の照射動作を制御することによって各種の信号を前記ディスクＤに記録させる信号記録用回路である。また、前記レーザー駆動回路１０は前記光学式ピックアップ３に組み込まれているモニター用ダイオードより得られる信号に基づいてレーザー出力を制御するレーザーサーボ回路が組み込まれている。そして、前記レーザー駆動回路１０より出力されるレーザー駆動信号のレベルや信号の波形はシステム制御回路８によって制御されるように構成されている。
【００１７】
１１は前記システム制御回路８によって動作が制御されるスピンドルモーター駆動回路であり、ディスクＤを回転駆動させるスピンドルモーター１を回転駆動制御する作用を有している。
【００１８】
斯かる構成において、前記スピンドルモーター駆動回路１１による回転駆動制御動作は、使用されるディスクＤから得られるＡＴＩＰ信号に基づく規定密度による記録再生動作を行うための制御動作及びＡＴＩＰ信号に基づく高密度による記録再生動作を行うための制御動作を行うように構成されている。また、レーザー駆動回路１０より出力されるレーザー出力の制御動作も記録密度に対応して行うように構成されている。そして、ディスクＤへの信号の記録動作を行う場合には、図３に示す波形のパルス信号をレーザー駆動回路１０よりレーザー素子に供給し、ディスクＤに記録されている信号の消去動作を行う場合には、図４に示す波形の信号、即ち所定の直流電圧であるＤＣ信号をレーザー素子に供給するように構成されている。
【００１９】
以上の如く、本発明に係る光ディスク記録再生装置は構成されているが、次に斯様に構成された回路における再生動作について説明する。コンピューター装置７より光ディスク記録再生装置を構成するシステム制御回路８に対して再生動作を行うための命令信号が出力されると、該システム制御回路８による再生動作のための制御動作が開始される。
【００２０】
斯かる再生動作のための制御動作が開始されると、スピンドルモーター駆動回路１１によるスピンドルモーター１の回転制御動作が行われるが、斯かるスピンドルモーター１の回転制御動作は、ウォブル信号をデコードして得られる同期信号と基準信号生成回路（図示せず）より出力される基準信号とを比較することによりディスクＤをディスクＤのフォーマットに合致した線速度、即ちＡＴＩＰ信号にて規制される規定の線速度にて回転駆動するように行われる。
【００２１】
スピンドルモーター１の回転駆動制御動作は、以上の如く行われるが、信号の読み出し動作を行う光学式ピックアップ３では、ピックアップ制御回路５によるフォーカシング制御動作及びトラッキング制御動作が開始されて該光学式ピックアップ３によるディスクＤからの信号の読み出し動作が開始される。そして、再生動作に先だってディスクＤの最初のセッションを構成するＴＯＣ領域に記録されている情報データの読み出し動作が行われる。
【００２２】
斯かる読み出し動作によって情報データ信号の読み出し動作が行われた場合には、ディスクＤには規定の密度によって信号が記録されていることが判別されるので、再生同さのための制御動作が開始される。
【００２３】
ディスクＤに設けられている最初のセッションの信号記録領域に記録されている信号の読み出し再生動作は、ＴＯＣ領域に記録されている情報データに基づいて行われることになる。前記光学式ピックアップ３によって読み出された信号は、ＲＦ信号増幅回路４を通して増幅及び波形成形された後デジタル信号処理回路６に入力されて信号の復調動作が行われる。前記デジタル信号処理回路６により信号処理が行われて情報データが抽出されると、該情報データは誤り訂正等の信号処理が行われた後、コンピューター装置７に対して出力される。
【００２４】
前述したように再生動作は行われるが、光学式ピックアップ３による信号の読み出し位置が移動するに従ってピックアップ送り用モーターの回転駆動動作が行われ、該光学式ピックアップ３はディスクＤの径方向に移動されることになる。
【００２５】
このように再生動作は行われるが、ディスクＤが規定の密度ではなく高密度の信号が記録されているディスクの場合には、再生動作に先だって行われる読み出し動作、即ちディスクＤの最初のセッションを構成するＴＯＣ領域に記録されている情報データの読み出し動作が行われないことになる。斯かる情報データの読み出し動作が行われなかった場合には、コンピューター装置７はディスクＤに記録されている信号の密度が規定の密度ではなく高密度であると判断することが出来る。
【００２６】
ディスクＤが高密度の信号が記録されているディスクであると判別された場合には、スピンドルモーター駆動回路１１に対して高密度信号を再生するための回転速度にてディスクＤを回転駆動制御するための信号を出力させるとともにレーザー駆動回路１０より出力されるレーザー駆動信号のレベルを高密度信号の読み出し動作を行うために適した出力にするための制御動作、そしてデジタル信号処理回路６によるデジタル信号処理動作も高密度に対応した処理動作を行うようにするための制御信号がシステム制御回路８より出力される。斯かる制御動作が行われる結果、高密度で記録されているディスクＤからの信号の再生動作を行うことが出来る。
【００２７】
以上に説明したように本実施例における再生動作は行われるが、次にディスクＤへの信号の記録動作について説明する。
【００２８】
ディスクＤに信号を記録するための制御動作は、まずディスクＤの内周側に設けられている試し書き領域にテスト信号を記録し、その記録されたテスト信号を再生することにより記録動作に最適なレーザー出力が得られる駆動電流がレーザー素子に供給されるように設定される。斯かるレーザー出力の設定動作が行われると、記録用ディスクに設けられているＰＭＡ領域またはＴＯＣ領域に記録されている情報データ、即ち信号記録領域に記録されている信号の位置情報等を読み出す動作が行われる。
【００２９】
このようにして読み出された情報データに基づいてディスクＤに設けられている信号記録領域にデータ信号の記録動作が可能であるか、また、記録動作を行う位置は何処か等の認識動作が行われる。
【００３０】
斯かる認識処理動作が終了すると、光学式ピックアップ３をディスクＤ上の記録動作を開始する位置まで移動させるとともにその記録位置に対応した線速度にてディスクＤを回転駆動するための制御動作が行われる。また、コンピューター装置７より出力される記録信号は、光ディスク記録再生装置に組み込まれているバッファ用ＲＡＭ（図示せず）へ書き込まれ、該バッファ用ＲＡＭに記憶される信号の記憶量が次第に上昇することになる。そして、その記憶量が所定量を越えると、前記バッファ用ＲＡＭに記憶されている信号を読み出し、その読み出された記録信号を前記信号記録用回路９に入力せしめる。その結果、前記信号記録用回路９によるレーザー駆動回路１０の制御動作が行われ、ディスクＤに信号が記録されることになる。
【００３１】
そして、前述した記録動作を行う場合には、レーザー駆動回路１０よりレーザー素子に対して図３に示す信号波形のパルス信号が供給されるが、そのパルス間隔、パルス幅及びレベルは、記録密度や記録信号の長さに応じて変更される。このような記録動作のための制御動作やレーザー出力を設定するための制御動作は、周知であり、その説明は省略する。
【００３２】
以上の如くディスクＤへの信号の記録動作は行われるが、斯かる場合のレーザー出力制御動作及びディスクＤの回転速度制御等は、ディスクＤに信号を記録する密度に応じて行われる。
【００３３】
以上に説明したように本実施例における再生動作及び記録動作は行われるが、次に本発明の要旨である記録制御方法について図１に示すフローチャートを参照して説明する。
【００３４】
本発明は、繰り返し記録可能なディスクＤ、特に使用済みのディスクに信号を記録する場合に記録特性が良好な記録動作を行うことが出来るようにしたものである。
【００３５】
ディスクＤへ信号を記録する場合、使用者はコンピューター装置７より記録動作を行うための操作を行うが、この場合記録密度を規定の密度で行うか高密度にて行うかを記録する信号の種類やそのデータ量に応じて設定した後に行うことになる。
【００３６】
例えば、規定密度による信号が記録されているディスクＤに高密度による記録動作を行う場合について説明する。コンピューター装置７から高密度による記録動作を行うための命令信号が出力されると、まずディスクＤに設けられているＰＭＡ領域に記録されている信号の読み出し動作が行われるが、斯かる場合の各回路の制御動作は、高密度信号を読み出すために対応するように行われる。
【００３７】
この場合、ディスクＤには規定の密度にて信号が記録されているため、ＰＭＡ領域に記録されている信号の読み出し動作を行うことが出来ない。従って、光ディスク記録再生装置に装着されているディスクＤは、高密度にて信号が記録されていないディスクであると認識する動作、即ち記録密度の判別動作を行うことが出来る（ステップＡ）。
【００３８】
斯かる判別動作によってディスクＤに記録されている信号の記録密度とこれから行う記録動作の記録密度とが相違するか否かの判定動作が行われる（ステップＢ）。ステップＢにて記録密度が相違しないと判定された場合には、前述した記録動作のための制御動作が行われ、そのままの記録密度、即ち同一の密度にて記録動作を行う（ステップＣ）。そして、この場合は、記録密度が同一であるため、書き換え動作によって信号の記録動作を行っても記録特性が悪化することはない。
【００３９】
ステップＢにおいて、記録密度が相違すると判定された場合には、同一ディスク、即ち装着されているディスクＤに記録動作を行うか否かの判定動作を行う（ステップＤ）。斯かる判定動作が行われるときコンピューター装置７に対して記録密度が相違するので、そのまま記録動作を行うかディスクＤの交換を行うかを選択させるための報知信号がシステム制御回路８より出力される。そして、斯かる信号に基づいてコンピューター装置７に接続されている表示装置に選択するための表示が行われる。
【００４０】
斯かる表示を使用者が確認し、異なるディスクに信号を記録させたい場合には、ディスクを交換した後記録動作を行う（ステップＥ）。斯かるディスク交換後の記録動作は、ステップＡより行われることになる。
【００４１】
ステップＤにおいて、同一ディスクであるディスクＤに信号を記録させたい場合には、レーザー駆動回路１０からレーザー素子に対して図４に示すＤＣ信号を供給し、ディスクＤに記録されている信号の消去動作、即ちＤＣ発光による消去動作を行う（ステップＦ）。斯かるＤＣ発光による消去動作を行うと、ディスクＤは物理的消去が行われた状態になる。斯かる物理的消去動作を行うとディスクの信号記録組織が均一な状態になるため、記録特性を向上させることが出来る。
【００４２】
前述した消去動作は、ディスクＤの内周側の位置から外周側の位置まで、即ちディスクＤの全面に亘って行われるが、その消去動作が行われたか否かの判定が行われる（ステップＧ）。ディスクＤに対する消去動作が完了すると、前もって設定されている記録密度、この場合には高密度による記録動作を開始させる（ステップＨ）。
【００４３】
前述したように記録動作を行う場合の記録密度が使用済みディスクに記録されている信号の記録密度と相違する場合にディスクに記録されている信号の消去動作を行った後に記録動作を行うようにしたので、良好な記録特性を得ることが出来る。
【００４４】
本実施例では、規定密度により信号が記録されているディスクに高密度による記録動作を行う場合について説明したが、高密度により信号が記録されているディスクに規定密度による記録動作を行う場合にも同様の動作を行うことによって良好な記録特性を得ることが出来る。また、ＤＣ発光による消去動作を行う場合の消去信号のレベルを記録密度に対応させて変更すれば、より良い消去動作を行うことが出来る。
【００４５】
【発明の効果】
本発明は、ディスクから得られるＡＴＩＰ信号に基づく規定密度による記録動作及び該ＡＴＩＰ信号に基づいて高密度による記録動作を行うことが出来る光ディスク記録再生装置において、使用済みディスクへの記録動作を開始する前に該ディスクに記録されている信号の記録密度を判別し、判別された記録密度が記録動作を行うために設定された密度と相違したとき、該ディスクに記録されている信号の消去動作を行うようにしたので、使用済みディスクに対する記録動作を異なる密度にて行う場合に良好な記録特性を得ることが出来る。
【００４６】
また、本発明は、記録密度が相違したとき、ディスクの交換を行うか否かの判定を行うようにしたので、操作性に優れたものである。
【００４７】
そして、本発明は、判定結果をホスト機器に設けられている表示装置に表示させるようにしたので、使用者はディスクの交換を行うべきか否かの判断を行う場合に便利である。
【００４８】
また、本発明は、消去動作をレーザー素子のＤＣ発光にて行うようにしたので、ディスクの信号記録組織が均一な状態にて消去されることになり、最適な記録特性を得ることが出来る。
【図面の簡単な説明】
【図１】本発明の記録制御方法を示すフローチャートである。
【図２】本発明に係る光ディスク記録再生装置の一実施例を示すブロック回路図である。
【図３】本発明に係る記録波形を示す波形図である。
【図４】本発明に係る消去波形を示す波形図である。
【符号の説明】
Ｄ　　　　ディスク
１　　　　スピンドルモーター
３　　　　光学式ピックアップ
５　　　　ピックアップ制御回路
６　　　　デジタル信号処理回路
７　　　　コンピューター装置
８　　　　システム制御回路
１０　　　　レーザー駆動回路
１１　　　　スピンドルモーター駆動回路
【図１】
2004133980.tif 000003
【図２】
2004133980.tif 000004
【図３】
2004133980.tif 000005
【図４】
2004133980.tif 000006